(57)【要約】【課題】タッチの検出及び無線通信デバイスとの無線通信を行うことができ、正常に動作し、タッチの検出を行うことができない時間が短いタッチ入力装置を提供する。【解決手段】タッチが検出されない場合は、容量の計測が行われない期間に無線通信デバイスの検出が行われる。タッチが検出された場合は、無線通信デバイスの検出が中止され、容量の計測及びタッチの検出が繰り返し行われる。無線通信デバイスが検出された場合は、容量の計測及びタッチの検出が行われず、無線通信デバイスとの無線通信が行われる。又は、容量の計測におけるノイズの強度の算出が行われ、計測周波数が選択される。第１の周波数が計測周波数として選択された場合は、容量の計測が行われている期間に無線通信デバイスの検出及び無線通信が行われる。第２の周波数が計測周波数として選択された場合は、容量の計測が行われていない期間に無線通信デバイスとの無線通信が行われる。【選択図】図１
2020170435.tif 000002
【特許請求の範囲】
【請求項１】
タッチセンサパネルと、
前記タッチセンサパネルを用いて容量の計測を行い、前記計測の結果から前記タッチセンサパネルへのタッチの検出を行うタッチ検出部と、
アンテナと、
前記アンテナに電磁波の送受信を行わせ、前記送受信の結果から無線通信デバイスの検出を行い、前記送受信により前記無線通信デバイスとの無線通信を行う通信部と、
前記タッチ検出部及び前記通信部を制御する制御部と、
を備え、
前記制御部は、
前記タッチの検出において前記タッチが検出されない場合は、前記計測及び前記タッチの検出を設定された時間が経過するごとに前記タッチ検出部に行わせ、前記計測を前記タッチ検出部に行わせていない期間に前記無線通信デバイスの検出を前記通信部に行わせ、
前記タッチの検出において前記タッチが検出された場合は、前記無線通信デバイスの検出を行うことを前記通信部に中止させ、前記タッチの検出において前記タッチが検出されなくなるまで前記計測及び前記タッチの検出を前記タッチ検出部に繰り返し行わせ、
前記無線通信デバイスの検出において前記無線通信デバイスが検出された場合は、前記計測及び前記タッチの検出を前記タッチ検出部に行わせずに、前記無線通信を前記通信部に行わせる
タッチ入力装置。
【請求項２】
タッチセンサパネルと、
計測周波数において前記タッチセンサパネルを用いて容量の計測を行い、前記計測の結果から前記タッチセンサパネルへのタッチの検出を行い、前記計測におけるノイズの強度の算出を行うタッチ検出部と、
アンテナと、
前記アンテナに電磁波の送受信を行わせ、前記送受信の結果から無線通信デバイスの検出を行い、前記送受信により前記無線通信デバイスとの無線通信を行う通信部と、
前記送受信に第１の強さで干渉する第１の周波数、及び前記送受信に前記第１の強さより強い第２の強さで干渉する第２の周波数から前記計測周波数を前記強度に基づいて選択する計測周波数選択部と、
前記タッチ検出部及び前記通信部を制御する制御部と、
を備え、
前記制御部は、
前記第１の周波数が前記計測周波数として選択された場合は、前記計測及び前記タッチの検出を前記タッチ検出部に行わせ、前記計測を前記タッチ検出部に行わせている期間に前記無線通信デバイスの検出及び前記無線通信を前記通信部に行わせ、
前記第２の周波数が前記計測周波数として選択された場合は、前記計測及び前記タッチの検出を前記タッチ検出部に行わせ、前記計測を前記タッチ検出部に行わせていない期間に前記無線通信を前記通信部に行わせる
を備えるタッチ入力装置。
【請求項３】
前記制御部は、
前記第２の周波数が前記計測周波数として選択された場合は、前記計測を前記タッチ検出部に行わせていない期間に前記無線通信デバイスの検出及び前記無線通信を前記通信部に行わせる
請求項２のタッチ入力装置。
【請求項４】
前記計測周波数選択部は、前記強度が設定された強度より大きい場合は、選択されている周波数を切り替え、前記強度が前記設定された強度より大きくない場合は、選択されている周波数を切り替えずに維持する
請求項２又は３のタッチ入力装置。
【請求項５】
前記タッチ検出部は、前記通信部が前記アンテナに前記送受信を行わせている間は前記ノイズの強度の算出を行わない
請求項２から４までのいずれかのタッチ入力装置。
【請求項６】
前記タッチ検出部は、異常タッチが行われているか否かを判定し、前記異常タッチが行われていると判定した場合は、前記検出において前記タッチを検出しない
請求項１から５までのいずれかのタッチ入力装置。
【発明の詳細な説明】
【技術分野】
【０００１】
本発明は、タッチ入力装置に関する。
【背景技術】
【０００２】
タッチパネルは、タッチセンサパネルを備える。タッチセンサパネルは、複数のセンサを備える。タッチパネルは、指等の指示体によるタッチセンサパネルへのタッチを検出し、タッチが行われた位置を示す座標を特定する。
【０００３】
タッチパネルは、多くの場合は、表示装置上に取り付けられる。これにより、タッチパネルは、機械的なキーボード、マウス等を代替する優れた情報処理装置のユーザーインターフェースを提供する。
【０００４】
製品化されているタッチパネルの方式には、抵抗膜方式、静電容量方式等がある。
【０００５】
静電容量方式のひとつである投影型静電容量方式のタッチパネルは、タッチセンサパネルの前面が数ｍｍの厚さを有する保護ガラスにより覆われた場合であってもタッチを検出することができ高い堅牢性を有するという利点等を有する。このため、投影型静電容量方式のタッチパネルは、携帯通信装置に備えられる入力部、金融機関に設置される現金自動預け払い機（ＡＴＭ）、カーナビケーション装置等に備えられるタッチ入力装置に採用される。特許文献１に記載されたタッチパネル装置は、その一例である。
【０００６】
一方、近年においては、近接無線通信（ＮＦＣ：Near Field Communication）が普及するのに伴い、静電容量方式のタッチパネル装置を採用するとともに、非接触集積回路（ＩＣ：Integrated Circuit）カード、高周波識別装置（ＲＦＩＤ：Radio Frequency Identification）タグ等の無線通信デバイスを検出し、検出した無線通信デバイスと無線通信するタッチ入力装置も提案されている。特許文献２に記載された入力装置、及び特許文献３に記載されたタッチ・センサおよびＲＦＩＤタグ・リーダを有するバッテリ駆動式デバイスは、その一例である。
【０００７】
しかし、タッチの検出及び無線通信デバイスとの無線通信は、互いに干渉する場合がある。また、タッチの検出及び無線通信デバイスの検出も、互いに干渉する場合がある。
【０００８】
タッチの検出及び無線通信デバイスとの無線通信を行い、タッチの検出においてタッチを検出した場合はタッチを検出してから設定された待機時間だけ待機し、待機している間に無線通信デバイスとの無線通信を行わなかった場合は、検出したタッチを有効なタッチであると判定し、検出したタッチに応じた処理を行うことが提案されている。これにより、タッチの検出においてタッチを誤検出することを抑制することができる。特許文献２に記載された入力装置は、その一例である。
【０００９】
また、タッチパネルが無線通信デバイスを検出し、無線通信デバイスを検出した場合は、タッチの検出を中止し、無線通信デバイスとの無線通信を行うことも提案されている。これにより、タッチの検出及び無線通信デバイスとの無線通信が互いに干渉することを抑制することができる。特許文献３に記載されたタッチ・センサおよびＲＦＩＤタグ・リーダを有するバッテリ駆動式デバイスは、その一例である。
【先行技術文献】
【特許文献】
【００１０】
【特許文献１】特開２００８―１３４８３６号公報
【特許文献２】特開２０１５−１７９３１１号公報
【特許文献３】特開２０１３−２３９１６４号公報
【発明の概要】
【発明が解決しようとする課題】
【００１１】
タッチ入力装置においてタッチの検出及び無線通信デバイスとの無線通信が干渉する場合は、タッチの検出及び無線通信デバイスとの無線通信が同時に行われた際にタッチ入力装置が正常に動作しない場合がある。
【００１２】
また、タッチパネルがタッチの検出及び無線通信デバイスの検出を行う場合は、タッチの検出及び無線通信デバイスとの無線通信が同時に行われない。しかし、多くの場合は、タッチパネルで無線通信デバイスの検出を行うことができる距離は、無線通信デバイスとの無線通信を行うことができる距離より短い。このため、無線通信デバイスをタッチパネルに近づけなければ無線通信デバイスの検出を行うことができなくなる。このため、タッチ入力装置の使い勝手が悪化する。
【００１３】
また、タッチの検出及び無線通信デバイスとの無線通信が同時に行われないようにするために、タッチの検出が行われる時間及び無線通信デバイスとの無線通信が行われる時間が互いに重ならないようにされた場合は、タッチの検出及び無線通信デバイスとの無線通信が互いに干渉しない。しかし、多くの場合は、無線通信デバイスとの無線通信に要する時間は、タッチの検出に要する時間より長いため、タッチの検出を行うことができない時間が長くなり、タッチ操作に対するレスポンスが遅くなる。
【００１４】
本発明は、これらの問題に鑑みてなされた。本発明が解決しようとする課題は、タッチの検出及び無線通信デバイスとの無線通信を行うことができ、正常に動作し、タッチの検出を行うことができない時間が短いタッチ入力装置を提供することである。
【課題を解決するための手段】
【００１５】
本発明の第１及び第２の態様は、タッチ入力装置に向けられる。
【００１６】
本発明の第１及び第２の態様においては、タッチ入力装置は、タッチセンサパネル、タッチ検出部、アンテナ、通信部及び制御部を備える。タッチ検出部は、タッチセンサパネルを用いて容量の計測を行い、計測の結果からタッチセンサパネルへのタッチの検出を行う。通信部は、アンテナに電磁波の送受信を行わせ、送受信の結果から無線通信デバイスの検出を行い、送受信により無線通信デバイスとの無線通信を行う。制御部は、タッチ検出部及び通信部を制御する。
【００１７】
本発明の第１の態様においては、制御部は、タッチの検出においてタッチが検出されない場合は、計測及びタッチの検出を設定された時間が経過するごとにタッチ検出部に行わせ、計測をタッチ検出部に行わせていない期間に無線通信デバイスの検出を通信部に行わせる。また、制御部は、タッチの検出においてタッチが検出された場合は、無線通信デバイスの検出を行うことを通信部に中止させ、タッチの検出においてタッチが検出されなくなるまで計測及びタッチの検出をタッチ検出部に繰り返し行わせる。また、制御部は、無線通信デバイスの検出において無線通信デバイスが検出された場合は、計測及びタッチの検出をタッチ検出部に行わせずに、無線通信を通信部に行わせる。
【００１８】
本発明の第２の態様においては、タッチ検出部は、計測におけるノイズの強度の算出を行う。タッチ入力装置は、計測周波数選択部をさらに備える。計測周波数選択部は、送受信に第１の強さで干渉する第１の周波数、及び送受信に第１の強さより強い第２の強さで干渉する第２の周波数から計測周波数をノイズの強度に基づいて選択する。タッチ検出部は、計測周波数において計測を行う。制御部は、第１の周波数が計測周波数として選択された場合は、計測及びタッチの検出をタッチ検出部に行わせ、計測をタッチ検出部に行わせている期間に無線通信デバイスの検出及び無線通信を通信部に行わせる。また、制御部は、第２の周波数が計測周波数として選択された場合は、計測及びタッチの検出をタッチ検出部に行わせ、計測をタッチ検出部に行わせていない期間に無線通信を通信部に行わせる。
【発明の効果】
【００１９】
本発明の第１の態様によれば、容量の計測が行われる期間、及び無線通信デバイスの検出が行われる期間が互いに重ならない。このため、容量の計測に用いられる信号、及び無線通信デバイスの検出に用いられる信号は、互いに干渉しない。また、容量の計測が行われる期間、及び無線通信デバイスとの無線通信が行われる期間が互いに重ならない。このため、容量の計測に用いられる信号、及び無線通信デバイスとの無線通信に用いられる信号は、互いに干渉しない。また、タッチが検出された場合に、無線通信デバイスの検出及び無線通信デバイスとの無線通信が行われず、タッチの検出が繰り返し行われる。このため、本発明の第１の態様によれば、タッチの検出及び無線通信デバイスとの無線通信を行うことができ、正常に動作し、タッチの検出を行うことができない時間が短いタッチ入力装置を提供することができる。
【００２０】
また、本発明の第２の態様によれば、相対的に弱い第１の強さで電磁波の送受信に干渉する第１の周波数において容量の計測及びタッチの検出が行われる場合は、容量の計測が行われる期間、及び無線通信デバイスの検出が行われる期間が互いに重なる。また、容量の計測及びタッチの検出が行われる期間、並びに無線通信デバイスとの無線通信が行われる期間が互いに重なる。また、相対的に強い第２の強さで電磁波の送受信に干渉する第２の周波数において容量の計測及びタッチの検出が行われる場合は、容量の計測が行われる期間、及び無線通信デバイスとの無線通信が行われる期間が互いに重ならない。このため、本発明の第２の態様によれば、タッチの検出及び無線通信デバイスとの無線通信を行うことができ、正常に動作し、タッチの検出を行うことができない時間が短いタッチ入力装置を提供することができる。
【００２１】
この発明の目的、特徴、局面、及び利点は、以下の詳細な説明と添付図面とによって、より明白となる。
【図面の簡単な説明】
【００２２】
【図１】実施の形態１のタッチ入力装置を図示するブロック図である。
【図２】実施の形態１のタッチ入力装置において容量の計測、タッチの検出、アンテナの駆動、無線通信デバイスの検出及び無線通信デバイスとの無線通信が行われる期間を示すタイムチャートである。
【図３】実施の形態１のタッチ入力装置において容量の計測、タッチの検出、アンテナの駆動及び無線通信デバイスの検出が行われる期間を示すタイムチャートである。
【図４】実施の形態１のタッチ入力装置の動作の流れを示すフローチャートである。
【図５】実施の形態２のタッチ入力装置を図示するブロック図である。
【図６】実施の形態２のタッチ入力装置において容量の計測、タッチの検出、アンテナの駆動、無線通信デバイスの検出及び無線通信デバイスとの無線通信が行われる期間を示すタイムチャートである。
【図７】実施の形態２のタッチ入力装置において容量の計測、タッチの検出、アンテナの駆動、無線通信デバイスの検出及び無線通信デバイスとの無線通信が行われる期間を示すタイムチャートである。
【図８】実施の形態２のタッチ入力装置において容量の計測、タッチの検出、アンテナの駆動及び無線通信デバイスの検出が行われる期間を示すタイムチャートである。
【図９】実施の形態２のタッチ入力装置に備えられるタッチ検出部の動作の流れを示すフローチャートである。
【図１０】実施の形態２のタッチ入力装置に備えられる通信部の動作の流れを示すフローチャートである。
【図１１】実施の形態２のタッチ入力装置に備えられる制御部の動作の流れを示すフローチャートである。
【図１２】実施の形態２のタッチ入力装置に備えられる制御部の動作の流れを示すフローチャートである。
【発明を実施するための形態】
【００２３】
１  実施の形態１
１．１  タッチ入力装置
図１は、実施の形態１のタッチ入力装置を図示するブロック図である。
【００２４】
図１に図示される実施の形態１のタッチ入力装置１は、無線通信デバイスと無線通信を行う無線通信機能を有するタッチパネル装置である。無線通信デバイスは、非接触集積回路（ＩＣ：Integrated Circuit）カード、高周波識別装置（ＲＦＩＤ：Radio Frequency Identification）タグ等である。
【００２５】
タッチ入力装置１は、タッチセンサパネル１１、タッチ検出部１２、アンテナ１３、通信部１４、制御部１５及びデータ出力部１６を備える。
【００２６】
タッチセンサパネル１１は、複数のタッチセンサを備える。
【００２７】
タッチ検出部１２は、タッチセンサパネル１１に電気的に接続される。タッチ検出部１２は、タッチセンサパネル１１を用いて容量の計測を行う。また、タッチ検出部１２は、容量の計測の結果から、指、ペン等の指示体によるタッチセンサパネル１１へのタッチの検出を行う。また、タッチ検出部１２は、容量の計測の結果から、タッチが行われた位置を示す座標の検出を行う。容量の計測の結果からの座標の検出は、どのような方法で行われてもよいが、例えば、特開２０１０−１９１７７８号公報に記載された方法により行われる。
【００２８】
タッチ検出部１２が、異常タッチが行われているか否かを判定し、異常タッチが行われていると判定した場合は、タッチの検出においてタッチを検出しないようにしてもよい。異常タッチは、指、ペン等の指示体以外の物体のタッチセンサパネル１１への接触である。これにより、金属部分を有しタッチセンサパネル１１に接触した場合に指、ペン等の指示体が接触した場合に起きる容量の変化と同様の容量の変化が起きる通信デバイスがタッチセンサパネル１１に接触した場合に、タッチが誤検出されることを抑制することができる。異常タッチが行われているか否かの判定は、例えば、設定された容量の変化より大きい容量の変化が発生した領域を特定し、特定した領域の幅、高さ、面積等が基準以上である場合に異常タッチが行われていると判定することにより行われる。異常タッチが行われているか否かをこのように判定することができるのは、指、ペン等の指示体が接触した場合の幅、高さ、面積等は小さく、通信デバイスが接触した場合の幅、高さ、面積等は大きいためである。
【００２９】
通信部１４は、アンテナ１３の駆動を行う。通信部１４は、アンテナ１３の駆動を行う際に、アンテナ１３に電磁波の送受信を行わせる。また、通信部１４は、電磁波の送受信の結果から無線通信デバイスの検出を行う。また、通信部１４は、電磁波の送受信により無線通信デバイスとの無線通信を行う。通信部１４は、無線通信デバイスとの無線通信を行う際に、無線通信デバイスからデータを受信し、無線通信デバイスにデータを送信する。無線通信デバイスの検出及び無線通信デバイスとの無線通信は、どのような方法で行われてよいが、例えば、「ＣＱ出版株式会社発行  ＲＦワールド  Ｎｏ．１４  小型／超小型アンテナの設計／製作／測定法」の第１１３頁から第１１９頁までに記載された方法により行われる。無線通信デバイスの検出及び無線通信デバイスとの無線通信が当該方法により行われる場合は、通信部１４は、ＮＦＣのリーダであり、無線通信デバイスは、非接触ＩＣカードであり、無線通信デバイスの検出を行う処理は、ポーリング処理である。
【００３０】
制御部１５は、タッチ検出部１２及び通信部１４を制御する。
【００３１】
データ出力部１６は、データの出力を行う。出力されるデータは、タッチデータ、通信データ等を含む。タッチデータは、検出された座標を示すデータ、前回行われたタッチの検出において検出されたタッチが今回行われたタッチの検出において検出されなかったことを示すデータ等を含む。通信データは、無線通信デバイスから受信したデータ等を含む。
【００３２】
１．２  容量の計測、タッチの検出、アンテナの駆動、無線通信デバイスの検出及び無線通信デバイスとの無線通信が行われる期間
図２及び図３は、実施の形態１のタッチ入力装置において容量の計測、タッチの検出、アンテナの駆動、無線通信デバイスの検出及び無線通信デバイスとの無線通信が行われる期間を示すタイムチャートである。
【００３３】
図２には、タッチの検出においてタッチが検出されない場合における、容量の計測及びタッチの検出が行われる期間Ｐ１、アンテナ１３の駆動及び無線通信デバイスの検出が行われる期間Ｐ２、無線通信デバイスとの無線通信が行われる期間Ｐ３、並びに無線通信デバイスが無線通信を行うことができる範囲内に入ったタイミングＴＭ１が描かれている。
【００３４】
図３には、無線通信デバイスの検出において無線通信デバイスが検出されない場合における、容量の計測及びタッチの検出が行われる期間Ｐ１、アンテナ１３の駆動及び無線通信デバイスの検出が行われる期間Ｐ２、並びにタッチが開始されたタイミングＴＭ２が描かれている。
【００３５】
図２及び図３は、期間Ｐ１，Ｐ２及びＰ３の各々の前後に行われる処理に要する時間、例えばアンテナ１３の駆動の停止に要する時間がほぼ０である場合のタイムチャートである。
【００３６】
制御部１５は、図２の全体及び図３のタイミングＴＭ２より前に図示されるように、タッチの検出においてタッチが検出されない場合は、設定された時間Ｔが経過するごとに容量の計測及びタッチの検出（期間Ｐ１）をタッチ検出部１２に行わせる。また、制御部１５は、容量の計測及びタッチの検出（期間Ｐ１）をタッチ検出部１２に行わせた後に、アンテナの駆動及び無線通信デバイスの検出（期間Ｐ２）を通信部１４に行わせる。これにより、制御部１５は、容量の計測及びタッチの検出（期間Ｐ１）をタッチ検出部１２に行わせていない期間に、アンテナの駆動及び無線通信デバイスの検出（期間Ｐ２）を通信部１４に行わせる。
【００３７】
また、制御部１５は、図２のタイミングＴＭ１より後に図示されるように、タイミングＴＭ１の直後のアンテナの駆動及び無線通信デバイスの検出（期間Ｐ２）において無線通信デバイスが検出された場合は、容量の計測及びタッチの検出（期間Ｐ１）をタッチ検出部１２に行わせずに、無線通信デバイスとの無線通信（期間Ｐ３）を通信部１４に行わせる。制御部１５は、無線通信デバイスとの無線通信（期間Ｐ３）を通信部１４に行わせた後は、容量の計測及びタッチの検出（期間Ｐ１）をタッチ検出部１２に行わせること、並びにアンテナの駆動及び無線通信デバイスの検出（期間Ｐ２）を通信部１４に行わせることを交互に繰り返す。
【００３８】
また、制御部１５は、図３のタイミングＴＭ２より後に図示されるように、タイミングＴＭ２の直後の容量の計測及びタッチの検出（期間Ｐ１）においてタッチが検出された場合は、アンテナ１３の駆動及び無線通信デバイスの検出（期間Ｐ２）を行うことを通信部１４に中止させ、容量の計測及びタッチの検出（期間Ｐ１）においてタッチが検出されなくなるまで、容量の計測及びタッチの検出（期間Ｐ１）をタッチ検出部１２に繰り返し行わせる。その際に、制御部１５は、設定された時間Ｔが経過することを待たずに、容量の計測及びタッチの検出（期間Ｐ１）をタッチ検出部１２に行わせる。
【００３９】
実施の形態１の発明によれば、容量の計測及びタッチの検出が行われる期間Ｐ１、並びに無線通信デバイスとの無線通信が行われる期間Ｐ３は、互いに重ならない。このため、容量の計測及びタッチの検出に用いられる信号、並びに無線通信デバイスとの無線通信に用いられる信号は、互いに干渉せず、互いにノイズとなることはなく、互いに悪影響を及ぼすことはない。このため、実施の形態１の発明によれば、正常に動作するタッチ入力装置１を提供することができる。
【００４０】
また、実施の形態１の発明によれば、容量の計測及びタッチの検出が行われる期間Ｐ１、並びにアンテナの駆動及び無線通信デバイスの検出が行われる期間Ｐ２は、互いに重ならない。このため、容量の計測及びタッチの検出に用いられる信号、並びにアンテナの駆動及び無線通信デバイスの検出に用いられる信号は、互いに干渉せず、互いにノイズとなることはなく、互いに悪影響を及ぼすことはない。このため、実施の形態１の発明によれば、正常に動作するタッチ入力装置１を提供することができる。
【００４１】
また、実施の形態１の発明によれば、タッチが検出された場合に、アンテナの駆動及び無線通信デバイスの検出、並びに無線通信デバイスとの無線通信が行われず、タッチの検出が行われる。このため、タッチの検出を行うことができない時間が短いタッチ入力装置１を提供することができる。
【００４２】
１．３  タッチ入力装置の動作
図４は、実施の形態１のタッチ入力装置の動作の流れを示すフローチャートである。
【００４３】
ステップＳＡ１においては、制御部１５が、前回のタッチの検出においてタッチが検出されたか否かを判定する。前回のタッチの検出においてタッチが検出されなかったと判定された場合は、ステップＳＡ２が実行されてからステップＳＡ３からＳＡ１１までが実行される。一方、前回のタッチの検出においてタッチが検出されたと判定された場合は、ステップＳＡ２が実行されることなくステップＳＡ３からＳＡ１１までが実行される。
【００４４】
ステップＳＡ２においては、制御部１５が、前回のタッチの検出から設定された時間Ｔが経過するまでウェイトする。制御部１５は、その際に、前回のタッチの検出から設定された時間Ｔが経過したか否かを繰り返し判定するループ処理を行い、前回のタッチの検出から設定された時間Ｔが経過したと判定した場合にループ処理を終了する。時間Ｔがタイマに設定され、設定された時間Ｔが経過するまでは動作モードを省電力モードにし、設定された時間Ｔが経過してから省電力モードが解除されるようにしてもよい。これにより、消費電力を低減する効果も得ることができる。
【００４５】
ステップＳＡ３においては、制御部１５が、タッチ検出部１２を起動して、タッチ検出部１２は、容量の検出を行う。
【００４６】
ステップＳＡ３における容量の検出が終了したら、続くステップＳＡ４において、タッチ検出部１２が、タッチの検出を行う。
【００４７】
ステップＳＡ１からＳＡ４までによれば、タッチが行われている場合は、ステップＳＡ２が実行されないため、制御部１５は、前回のタッチの検出から設定された時間Ｔが経過するまでウェイトすることなく、容量の検出及びタッチの検出をタッチ検出部１２に行わせる。このため、制御部１５は、設定された時間Ｔが経過することを待たずに、容量の計測及びタッチの検出をタッチ検出部１２に行わせる。一方、タッチが行われていない場合は、ステップＳＡ２が実行されるため、制御部１５は、前回のタッチの検出から設定された時間Ｔが経過するまでウェイトしてから、容量の検出及びタッチの検出をタッチ検出部１２に行わせる。このため、制御部１５は、設定された時間Ｔが経過するごとに容量の計測及びタッチの検出をタッチ検出部１２に行わせる。
【００４８】
ステップＳＡ５においては、制御部１５が、ステップＳＡ４において行われたタッチの検出においてタッチが検出されたか否かを判定する。ステップＳＡ４において行われたタッチの検出においてタッチが検出されたと判定された場合は、ステップＳＡ６からＳＡ１０までが実行されてからステップＳＡ１１が実行される。一方、ステップＳＡ４において行われたタッチの検出においてタッチが検出されなかったと判定された場合は、ステップＳＡ６からＳＡ１０までが実行されることなくステップＳＡ１１が実行される。
【００４９】
ステップＳＡ６においては、制御部１５が、通信部１４を起動する。これにより、通信部１４は、アンテナ１３の駆動を行う。
【００５０】
続くステップＳＡ７においては、通信部１４が、無線通信デバイスの検出を行う。
【００５１】
続くステップＳＡ８においては、制御部１５が、ステップＳＡ７において行われた無線通信デバイスの検出において無線通信デバイスが検出されたか否かを判定する。ステップＳＡ７において行われた無線通信デバイスの検出において無線通信デバイスが検出されたと判定された場合は、ステップＳＡ９が実行されてからステップＳＡ１０が実行される。一方、ステップＳＡ７において行われた無線通信デバイスの検出において無線通信デバイスが検出されなった場合は、ステップＳＡ９が実行されることなくステップＳＡ１０が実行される。
【００５２】
ステップＳＡ９においては、通信部１４が、無線通信デバイスとの無線通信を行う。
【００５３】
ステップＳＡ１０においては、通信部１４が、アンテナ１３の駆動の停止を行う。
【００５４】
ステップＳＡ１１においては、制御部１５が、データ出力部１６を起動する。これにより、データ出力部１６は、データの出力を行う。
【００５５】
ステップＳＡ１１が実行された後には、再びステップＳＡ１が実行される。
【００５６】
図４に示されるタッチ入力装置１の動作の流れによれば、タッチが行われていない間は、ステップＳＡ１及びＳＡ５において「NO」が選択されるため、ステップＳＡ２，ＳＡ３，ＳＡ４，ＳＡ６及びＳＡ７が繰り返し実行される。このため、設定された時間Ｔが経過するごとに、ステップＳＡ３において容量の計測が行われ、ステップＳＡ４においてタッチの検出が行われ、ステップＳＡ６においてアンテナ１３の駆動が行われ、ステップＳＡ７において無線通信デバイスの検出が行われる。
【００５７】
一方、タッチが行われている間は、ステップＳＡ１及びＳＡ５において「YES」が選択されるため、ステップＳＡ３及びＳＡ４が繰り返し実行されるが、ステップＳＡ２，ＳＡ６及びＳＡ７が実行されない。このため、設定された時間Ｔが経過することを待たずに、ステップＳＡ３において容量の計測が行われ、ステップＳＡ４においてタッチの検出が行われるが、アンテナの駆動及び無線通信デバイスの検出は行われない。
【００５８】
また、図４に示されるタッチ入力装置１の動作の流れによれば、無線通信デバイスが無線通信を行うことができる範囲内にない場合は、ステップＳＡ８において「NO」が選択されるため、ステップＳＡ９が実行されない。このため、無線通信デバイスとの無線通信が行われない。
【００５９】
一方、無線通信デバイスが無線通信を行うことができる範囲内にある場合は、ステップＳＡ８において「YES」が選択されるため、ステップＳＡ９が実行される。このため、ステップＳＡ９において無線通信デバイスとの無線通信が行われる。
【００６０】
２  実施の形態２
２．１  タッチ入力装置
図５は、実施の形態２のタッチ入力装置を図示するブロック図である。
【００６１】
図５に図示される実施の形態２のタッチ入力装置２は、主に下記の相違点で図１に図示される実施の形態１のタッチ入力装置１と相違する。
【００６２】
実施の形態１のタッチ入力装置１は、タッチセンサパネル１１、タッチ検出部１２、アンテナ１３、通信部１４、制御部１５及びデータ出力部１６を備える。これに対して、実施の形態２のタッチ入力装置２は、タッチセンサパネル１１、タッチ検出部１２、アンテナ１３、通信部１４、制御部１５及びデータ出力部１６を備え、計測周波数選択部１７をさらに備える。
【００６３】
実施の形態１のタッチ入力装置１においては、タッチ検出部１２は、容量の計測及びタッチの検出を行う。これに対して、実施の形態２のタッチ入力装置２においては、タッチ検出部１２は、容量の計測及びタッチの検出を行うのに加えて、タッチの計測におけるノイズの強度の算出を行う。ノイズの強度は、過去の設定された時間内に得られた容量の計測の計測値から算出される。ノイズの強度は、例えば、過去の設定された時間内に得られた各計測値のセンサ毎の標準偏差を得、複数の標準偏差の最大値を得、得た最大値をノイズの強度とすることにより算出される。このようにして算出されるノイズの強度によれば、例えば、静電容量方式のタッチパネルにおいてコモンモードノイズ等の設置環境によるノイズの容量計測値への影響を定量的に評価することができる。ノイズの強度の算出は、望ましくは、通信部１４がアンテナ１３を駆動している間、すなわち通信部１４がアンテナ１３に電磁波の送受信を行わせている間は行われない。
【００６４】
実施の形態２のタッチ入力装置２においては、計測周波数選択部１７は、算出されたノイズの強度に基づいて、周波数ｆ１及びｆ２から計測周波数を選択する。周波数ｆ１は、電磁波の送受信に第１の強さで干渉する。周波数ｆ２は、電磁波の送受信に第１の強さより強い第２の強さで干渉する。
【００６５】
実施の形態１のタッチ入力装置１においては、タッチ検出部１２は、一定の計測周波数において容量の計測を行う。これに対して、実施の形態２のタッチ入力装置２においては、タッチ検出部１２は、周波数ｆ１及びｆ２から選択された計測周波数において容量の計測を行う。
【００６６】
実施の形態２においては、タッチ検出部１２、通信部１４及び制御部１５は、同時に動作することができる。
【００６７】
以下では、上記の相違点に関連して実施の形態２のタッチ入力装置２において採用される構成が説明される。説明されない構成については、実施の形態１のタッチ入力装置１において採用される構成が実施の形態２のタッチ入力装置２においても採用される。
【００６８】
２．２  容量の計測、タッチの検出、アンテナの駆動、無線通信デバイスの検出及び無線通信デバイスとの無線通信が行われる期間
図６、図７及び図８は、実施の形態２のタッチ入力装置において容量の計測、タッチの検出、アンテナの駆動、無線通信デバイスの検出及び無線通信デバイスとの無線通信が行われる期間を示すタイムチャートである。
【００６９】
図６には、周波数ｆ１が計測周波数として選択され、タッチの検出においてタッチが検出されない場合における、容量の計測及びタッチの検出が行われる期間Ｐ１、アンテナ１３の駆動及び無線通信デバイスの検出が行われる期間Ｐ２、無線通信デバイスとの無線通信が行われる期間Ｐ３、並びに無線通信デバイスが無線通信を行うことができる範囲内に入ったタイミングＴＭ１が描かれている。
【００７０】
図７には、周波数ｆ２が計測周波数として選択され、タッチの検出においてタッチが検出されない場合における、容量の計測及びタッチの検出が行われる期間Ｐ１、アンテナ１３の駆動及び無線通信デバイスの検出が行われる期間Ｐ２、無線通信デバイスとの無線通信が行われる期間Ｐ３、並びに無線通信デバイスが無線通信を行うことができる範囲内に入ったタイミングＴＭ１が描かれている。
【００７１】
図８には、周波数ｆ２が計測周波数として選択され、無線通信デバイスの検出において無線通信デバイスが検出されない場合における、容量の計測及びタッチの検出が行われる期間Ｐ１、アンテナ１３の駆動及び無線通信デバイスの検出が行われる期間Ｐ２、タッチが開始されたタイミングＴＭ２、並びにタッチが終了したタイミングＴＭ３が描かれている。
【００７２】
図６、図７及び図８は、期間Ｐ１，Ｐ２及びＰ３の各々の前後に行われる処理に要する時間がほぼ０である場合のタイムチャートである。
【００７３】
制御部１５は、図６の全体に図示されるように、タッチ入力装置１が起動した直後等で周波数ｆ１が計測周波数として選択されている場合は、タッチの検出においてタッチが検出されたか否かによらず、アンテナの駆動及び無線通信デバイスの検出（期間Ｐ２）を通信部１４に繰り返し行わせる。その際に、制御部１５は、アンテナの駆動及び無線通信デバイスの検出（期間Ｐ２）を通信部１４に行わせてから通信停止時間Ｔ２を置いて次回のアンテナの駆動及び無線通信デバイスの検出（期間Ｐ２）を通信部１４に行わせる。通信停止時間Ｔ２は、大きな電力を消費するアンテナの駆動及び無線通信デバイスの検出（期間Ｐ２）、並びに無線通信デバイスとの通信（期間Ｐ３）が行われる頻度を減らすために設けられている。また、制御部１５は、容量の計測及びタッチの検出（期間Ｐ１）をタッチ検出部１２に繰り返し行わせる。周波数ｆ１が計測周波数として選択された場合は、容量の計測及びタッチの検出（期間Ｐ１）が常に行われる。このため、周波数ｆ１が計測周波数として選択されている場合は、タッチの検出を行うことができない時間がない。これらにより、制御部１５は、容量の計測及びタッチの検出（期間Ｐ１）をタッチ検出部１２に行わせている期間に、アンテナの駆動及び無線通信デバイスの検出（期間Ｐ２）を通信部１４に行わせる。
【００７４】
また、制御部１５は、図６のタイミングＴＭ１より後に図示されるように、タイミングＴＭ１の直後のアンテナの駆動及び無線通信デバイスの検出（期間Ｐ２）において無線通信デバイスが検出された場合は、無線通信デバイスとの無線通信（期間Ｐ３）を通信部１４に行わせる。これにより、制御部１５は、容量の計測及びタッチの検出（期間Ｐ１）をタッチ検出部１２に行わせている期間に、無線通信デバイスとの無線通信（期間Ｐ３）を通信部１４に行わせる。
【００７５】
制御部１５は、図７の全体及び図８のタイミングＴＭ２より前に図示されるように、周波数ｆ２が計測周波数として選択され、タッチの検出においてタッチが検出されない場合は、アンテナの駆動及び無線通信デバイスの検出（期間Ｐ２）を通信部１４に繰り返し行わせる。その際に、制御部１５は、アンテナの駆動及び無線通信デバイスの検出（期間Ｐ２）を通信部１４に行わせて通信停止時間Ｔ２を置いて次回のアンテナの駆動及び無線通信デバイスの検出（期間Ｐ２）を通信部１４に行わせる。また、制御部１５は、通信停止時間Ｔ２の経過が始まってから終わるまでの間に、容量の計測及びタッチの検出（期間Ｐ１）をタッチ検出部１２に行わせる。これらにより、制御部１５は、容量の計測及びタッチの検出（期間Ｐ１）をタッチ検出部１２に行わせていない期間に、アンテナの駆動及び無線通信デバイスの検出（期間Ｐ２）を通信部１４に行わせる。
【００７６】
また、制御部１５は、図７のタイミングＴＭ１より後に図示されるように、タイミングＴＭ１の直後のアンテナの駆動及び無線通信デバイスの検出（期間Ｐ２）において無線通信デバイスが検出された場合は、無線通信デバイスとの無線通信（期間Ｐ３）を通信部１４に行わせる。通信停止時間Ｔ２の経過は、無線通信デバイスとの無線通信（期間Ｐ３）が終了してから開始される。このため、制御部１５は、無線通信デバイスとの無線通信（期間Ｐ３）を通信部１４に行わせている間は、容量の計測及びタッチの検出（期間Ｐ１）をタッチ検出部１２に行わせない。これらにより、制御部１５は、容量の計測及びタッチの検出（期間Ｐ１）をタッチ検出部１２に行わせていない期間に、無線通信デバイスとの無線通信（期間Ｐ３）を通信部１４に行わせる。
【００７７】
制御部１５は、図８のタイミングＴＭ２より後に図示されるように、タイミングＴＭ２の直後の容量の計測及びタッチの検出（期間Ｐ１）においてタッチが検出された場合は、アンテナ１３の駆動及び無線通信デバイスの検出（期間Ｐ２）を行うことを通信部１４に中止させ、容量の計測及びタッチの検出（期間Ｐ１）においてタッチが検出されなくなるまで、容量の計測及びタッチの検出（期間Ｐ１）をタッチ検出部１２に繰り返し行わせる。また、制御部１５は、タイミングＴＭ３の後に、アンテナ１３の駆動及び無線通信デバイスの検出（期間Ｐ２）を通信部１４に行わせる。これらにより、制御部１５は、容量の計測及びタッチの検出（期間Ｐ１）をタッチ検出部１２に行わせていない期間に、アンテナの駆動及び無線通信デバイスの検出（期間Ｐ２）、並びに無線通信デバイスとの無線通信（期間Ｐ３）を通信部１４に行わせる。
【００７８】
実施の形態２の発明によれば、相対的に弱い第１の強さで電磁波の送受信に干渉する第１の周波数において容量の計測及びタッチの検出が行われる場合は、容量の計測及びタッチの検出が行われる期間Ｐ１、並びにアンテナの駆動及び無線通信デバイスの検出が行われる期間Ｐ２が互いに重なる。また、容量の計測及びタッチの検出が行われる期間Ｐ１、並びに無線通信デバイスとの無線通信が行われる期間Ｐ３が互いに重なる。このため、タッチの検出を行うことができない時間が短くなる。また、相対的に強い第２の強さで電磁波の送受信に干渉する第２の周波数において容量の計測及びタッチの検出が行われる場合は、容量の計測及びタッチの検出が行われる期間Ｐ１、並びにアンテナの駆動及び無線通信デバイスの検出が行われる期間Ｐ２が互いに重ならない。また、容量の計測及びタッチの検出が行われる期間Ｐ１、並びに無線通信デバイスとの無線通信が行われる期間Ｐ３が互いに重ならない。これにより、タッチ入力装置１が正常に動作する。
【００７９】
これらにより、タッチの検出及び無線通信デバイスとの無線通信を行うことができ、正常に動作し、タッチの検出を行うことができない時間が短いタッチ入力装置２を提供することができる。
【００８０】
２．３  タッチ入力装置の動作
図９は、実施の形態２のタッチ入力装置に備えられるタッチ検出部の動作の流れを示すフローチャートである。
【００８１】
タッチ検出部１２は、制御部１５により起動された後に、図９に図示されるステップＳＣ１からＳＣ５までを実行する。
【００８２】
ステップＳＣ１においては、タッチ検出部１２が、タッチ検出フラグを１に設定する。タッチ検出フラグが１に設定されていることは、タッチ検出部１２が処理を行っていることを示す。
【００８３】
続くステップＳＣ２においては、実施の形態１のステップＳＡ３と同様に、タッチ検出部１２が、容量の検出を行う。
【００８４】
続くステップＳＣ３においては、実施の形態１のステップＳＡ４と同様に、タッチ検出部１２が、タッチの検出を行う。
【００８５】
続くステップＳＣ４においては、タッチ検出部１２が、ノイズの強度の算出を行う。
【００８６】
続くステップＳＣ５においては、タッチ検出部１２が、タッチ検出フラグを２に設定する。タッチ検出フラグが２に設定されていることは、タッチ検出部１２が処理を終了していることを示す。
【００８７】
図１０は、実施の形態２のタッチ入力装置に備えられる通信部の動作の流れを示すフローチャートである。
【００８８】
通信部１４は、制御部１５により起動された後に、図１０に図示されるステップＳＤ１からＳＤ７までを実行する。
【００８９】
ステップＳＤ１においては、通信部１４が、通信フラグを１に設定する。通信フラグが１に設定されていることは、通信部１４が処理を行っていることを示す。
【００９０】
続くステップＳＤ２においては、実施の形態１のステップＳＡ６と同様に、通信部１４が、アンテナ１３の駆動を行う。
【００９１】
続くステップＳＤ３においては、実施の形態１のステップＳＡ７と同様に、通信部１４が、無線通信デバイスの検出を行う。
【００９２】
続くステップＳＤ４においては、実施の形態１のステップＳＡ８と同様に、制御部１５が、ステップＳＤ３において行われた無線通信デバイスの検出において無線通信デバイスが検出されたか否かを判定する。ステップＳＤ４において行われた無線通信デバイスの検出において無線通信デバイスが検出されたと判定された場合は、ステップＳＤ５が実行されてからステップＳＤ６が実行される。一方、ステップＳＤ４において行われた無線通信デバイスの検出において無線通信デバイスが検出されなった場合は、ステップＳＤ５が実行されることなくステップＳＤ６が実行される。
【００９３】
ステップＳＤ５においては、実施の形態１のステップＳＡ９と同様に、通信部１４が、無線通信デバイスとの無線通信を行う。
【００９４】
ステップＳＤ６においては、実施の形態１のステップＳＡ１０と同様に、通信部１４が、アンテナ１３の駆動の停止を行う。
【００９５】
続くステップＳＤ７においては、通信部１４が、通信フラグを２に設定する。通信フラグが２に設定されていることは、通信部１４が処理を終了していることを示す。
【００９６】
図１１及び図１２は、実施の形態２のタッチ入力装置に備えられる制御部の動作の流れを示すフローチャートである。
【００９７】
ステップＳＢ１においては、制御部１５が、タッチ検出フラグ及び通信フラグをリセットする。これにより、タッチ検出フラグ及び通信フラグが０に設定される。
【００９８】
続くステップＳＢ２においては、制御部１５が、タイマから経過時間を示すタイマ値を読み取り、読み取ったタイマ値を記憶する。タイマ値により示される経過時間は、通信停止時間Ｔ２が経過したか否かを判定するために用いられる。
【００９９】
続くステップＳＢ３においては、制御部１５が、タッチ検出フラグが２に設定されているか否かを判定する。タッチ検出フラグが２に設定されていると判定された場合は、ステップＳＢ４からＳＢ６までが実行されてからステップＳＢ７が実行される。一方、タッチ検出フラグが２に設定されていないと判定された場合は、ステップＳＢ４からＳＢ６までが実行されることなくステップＳＢ７が実行される。
【０１００】
ステップＳＢ４においては、実施の形態１のステップＳＡ１１と同様に、制御部１５が、データ出力部１６を起動する。これにより、データ出力部１６は、タッチデータの出力を行う。
【０１０１】
続くステップＳＢ５においては、制御部１５が、計測周波数の選択を計測周波数選択部１７に行わせる。計測周波数選択部１７は、タッチ入力装置１が起動した直後等で未だノイズの強度の算出が行われていない場合は、周波数ｆ１を計測周波数として選択する。また、計測周波数選択部１７は、既にノイズの強度の算出が行われている場合は、算出されたノイズの強度が設定された強度より大きいときは、選択されている周波数を切り替える。すなわち、計測周波数選択部１７は、算出されたノイズの強度が設定された強度より大きく周波数ｆ１が計測周波数として選択されている場合は、周波数ｆ２を計測周波数として選択し、算出されたノイズの強度が設定された強度より大きく周波数ｆ２が計測周波数として選択されている場合は、周波数ｆ１を計測周波数として選択する。また、計測周波数選択部１７は、算出されたノイズの強度が設定された強度より大きくない場合は、選択されている周波数を切り替えずに維持する。
【０１０２】
続くステップＳＢ６においては、制御部１５が、タッチ検出フラグを０に設定する。タッチ検出フラグが０に設定されていることは、タッチ検出部１２が起動待ちであることを示す。
【０１０３】
タッチ検出フラグが２に設定されている場合は、ステップＳＣ３においてタッチの検出が行われ、ステップＳＣ５においてタッチ検出フラグが２に設定された後に、ステップＳＢ４におけるタッチデータの出力が行われていない。したがって、出力されていないタッチデータが存在する。このため、ステップＳＢ２からＳＢ６までによれば、出力されていないタッチデータが存在する場合に、データ出力部１６がタッチデータを出力する。
【０１０４】
ステップＳＢ７においては、制御部１５が、タッチ検出フラグが０に設定されているか否かを判定する。タッチ検出フラグが０に設定されていると判定された場合は、ステップＳＢ８からＳＢ１２までが実行されてからステップＳＢ１３が実行される。一方、タッチ検出フラグが０に設定されていないと判定された場合は、ステップＳＢ８からＳＢ１２までが実行されることなくステップＳＢ１３が実行される。
【０１０５】
ステップＳＢ８においては、制御部１５が、周波数ｆ１が計測周波数として選択されているか否かを判定する。周波数ｆ１が計測周波数として選択されていないと判定された場合は、ステップＳＢ９からＳＢ１１までが実行されてからステップＳＢ１２が実行される。周波数ｆ１が計測周波数として選択されていると判定された場合は、ステップＳＢ９からＳＢ１１までが実行されることなくステップＳＢ１２が実行される。
【０１０６】
ステップＳＢ９においては、制御部１５が、周波数ｆ２が計測されている場合において無線通信デバイスの検出及び無線通信デバイスとの無線通信が行われない期間であることを示す条件が満たされるか否かが判定される。例えば、制御部１５は、下記の条件Ａ１又はＡ２が満たされるか否かを判定する。
条件Ａ１：ステップＳＢ２において読み取られたタイマ値により示される経過時間が通信停止時間Ｔ２を超えていない条件
条件Ａ２：前回のタッチの検出においてタッチが検出されているという条件
【０１０７】
無線通信デバイスの検出及び無線通信デバイスとの無線通信が行われない期間であることを示す条件が満たされると判定された場合は、ステップＳＢ１０からＳＢ１２までが実行されてからステップＳＢ１２が実行される。一方、無線通信デバイスの検出及び無線通信デバイスとの無線通信が行われない期間であることを示す条件が満たされないと判定された場合は、ステップＳＢ１０からＳＢ１２までが実行されることなくステップＳＢ１２が実行される。
【０１０８】
ステップＳＢ１０においては、制御部１５が、通信フラグが１に設定されているか否かを判定する。通信フラグが１に設定されていると判定された場合は、ステップＳＢ１１が実行されてからステップＳＢ１２が実行される。一方、通信フラグが１に設定されていないと判定された場合は、ステップＳＢ１１が実行されることなくステップＳＢ１２が実行される。
【０１０９】
ステップＳＢ１１においては、制御部１５が、通信フラグが２に変化するまで、ウェイトする。
【０１１０】
ステップＳＢ１３には、制御部１５が、タッチ検出部１２を起動する。これにより、図９に図示されるステップＳＣ１からＳＣ５までが実行される。
【０１１１】
ステップＳＢ８からＳＢ１１までによれば、相対的に弱い第１の強さで電磁波の送受信に干渉する周波数ｆ１が計測周波数として選択されている場合は、アンテナの駆動及び無線通信デバイスの検出、並びに無線通信デバイスとの無線通信が行われない期間であるか否かにかかわらず、タッチ検出部１２が起動される。このため、アンテナの駆動及び無線通信デバイスの検出が行われる期間Ｐ２、並びに無線通信デバイスとの無線通信が行われる期間Ｐ３に、容量の計測及びタッチの検出が行われる。一方、相対的に強い第２の強さで電磁波の送受信に干渉する周波数ｆ２が計測周波数として選択されている場合は、アンテナの駆動及び無線通信デバイスの検出、並びに無線通信デバイスとの無線通信が行われない期間であるときに限って、タッチ検出部１２が起動される。このため、アンテナの駆動及び無線通信デバイスの検出が行われる期間Ｐ２、並びに無線通信デバイスとの無線通信が行われる期間Ｐ３に、容量の計測及びタッチの検出が行われない。
【０１１２】
また、ステップＳＢ１０及びＳＢ１１によれば、通信部１４が既に処理を行っている場合は、通信部１４が処理を終了するのを待ってタッチ検出部１２が起動される。
【０１１３】
これらにより、アンテナの駆動及び無線通信デバイスの検出が行われる期間Ｐ２、並びに無線通信デバイスとの無線通信が行われる期間Ｐ３が、容量の計測及びタッチの検出が行われる期間Ｐ１と重なることを防止することができる。
【０１１４】
なお、ステップＳＢ８からＳＢ１１までによれば、周波数ｆ１が計測周波数として選択されている場合は、常にタッチ検出部１２が起動される。このため、周波数ｆ１が計測周波数として選択されている場合は、容量の計測及びタッチの検出が常に行われる。
【０１１５】
ステップＳＢ１３においては、制御部１５が、通信フラグが２に設定されているか否かを判定する。通信フラグが２に設定されていると判定された場合は、ステップＳＢ１４からＳＢ１６までが実行されてからステップＳＢ１７が実行される。一方、通信フラグが２に設定されていないと判定された場合は、ステップＳＢ１４からＳＢ１６までが実行されることなくステップＳＢ１７が実行される。
【０１１６】
ステップＳＢ１４においては、実施の形態１のステップＳＡ１１と同様に、制御部１５が、データ出力部１６を起動する。これにより、データ出力部１６は、通信データの出力を行う。
【０１１７】
続くステップＳＢ１５においては、制御部１５が、通信フラグを０に設定する。通信フラグが０に設定されていることは、通信部１４が起動待ちであることを示す。
【０１１８】
続くステップＳＢ１６においては、制御部１５が、タイマをリセットし、経過時間の計測を開始する。
【０１１９】
通信フラグが２に設定されている場合は、ステップＳＤ５において無線通信デバイスとの無線通信が行われ、ステップＳＤ７において通信フラグが２に設定された後に、ステップＳＢ１４における通信データの出力が行われていない可能性がある。したがって、出力されていない通信データが存在する可能性がある。このため、ステップＳＢ１３からＳＢ１６までによれば、出力されていない通信データが存在する可能性がある場合に、データ出力部１６が通信データを出力する。
【０１２０】
ステップＳＢ１７においては、制御部１５が、通信フラグが０に設定されているか否かを判定する。通信フラグが０に設定されていると判定された場合は、ステップＳＢ１８からＳＢ２３までが実行されてから再びステップＳＢ２が実行される。一方、タッチ検出フラグが０に設定されていないと判定された場合は、ステップＳＢ１８からＳＢ２３までが実行されることなく再びステップＳＢ２が実行される。
【０１２１】
ステップＳＢ１８においては、制御部１５が、通信停止時間Ｔ２が経過していないか否かが判定される。通信停止時間Ｔ２が経過していると判定された場合は、ステップＳＢ１９からＳＢ２３が実行されてから再びステップＳＢ２が実行される。通信停止時間Ｔ２が経過していないと判定された場合は、ステップＳＢ１９からＳＢ２３が実行されることなく再びステップＳＢ２が実行される。
【０１２２】
ステップＳＢ１９においては、制御部１５が、周波数ｆ１が計測周波数として選択されているか否かを判定する。周波数ｆ１が計測周波数として選択されていないと判定された場合は、ステップＳＢ２０からＳＢ２２までが実行されてからステップＳＢ２３が実行される。周波数ｆ１が計測周波数として選択されていると判定された場合は、ステップＳＢ２０からＳＢ２２までが実行されることなくステップＳＢ２３が実行される。
【０１２３】
ステップＳＢ２０においては、前回のタッチの検出においてタッチが検出されたか否かが判定される。前回のタッチの検出においてタッチが検出されていない場合は、ステップＳＢ２１からＳＢ２３までが実行されてから再びＳＢ２が実行される。一方、前回のタッチの検出においてタッチが検出されている場合は、ＳＢ２１からＳＢ２３までが実行されることなく再びＳＢ２が実行される。
【０１２４】
ステップＳＢ２１においては、制御部１５が、タッチ検出フラグが１に設定されているか否かを確認する。タッチ検出フラグが１に設定されていると判定された場合は、ステップＳＢ２２が実行されてからステップＳＢ２３が実行される。一方、タッチ検出フラグが１に設定されていないと判定された場合は、ステップＳＢ２２が実行されることなくステップＳＢ２３が実行される。
【０１２５】
ステップＳＢ２２においては、制御部１５が、タッチ検出フラグが２に変化するまで、ウェイトする。
【０１２６】
ステップＳＢ２３においては、制御部１５が、通信部１４を起動する。これにより、図１０に図示されるステップＳＤ１からＳＤ７までが実行される。
【０１２７】
ステップＳＢ１９からＳＢ２３までによれば、相対的に弱い第１の強さで電磁波の送受信に干渉する周波数ｆ１が計測周波数として選択されている場合は、容量の計測及びタッチの検出が行われない期間であるか否かにかかわらず、通信部１４が起動される。このため、アンテナの駆動及び無線通信デバイスの検出が行われる期間Ｐ２、並びに無線通信デバイスとの無線通信が行われる期間Ｐ３に、容量の計測及びタッチの検出が行われる。一方、相対的に強い第２の強さで電磁波の送受信に干渉する周波数ｆ２が計測周波数として選択されている場合は、容量の計測及びタッチの検出が行われない期間であるときに限って、通信部１４が起動される。このため、アンテナの駆動及び無線通信デバイスの検出が行われる期間Ｐ２、並びに無線通信デバイスとの無線通信が行われる期間Ｐ３に、容量の計測及びタッチの検出が行われない。
【０１２８】
また、ステップＳＢ２１及びＳＢ２２によれば、タッチ検出部１２が既に処理を行っている場合は、タッチ検出部１２が処理を終了するのを待って通信部１４が起動される。
【０１２９】
ステップＳＢ２０からＳＢ２３までによれば、前回のタッチの検出においてタッチが検出された場合は、通信部１４が起動せず、前回のタッチの検出においてタッチが検出されない場合は、通信部１４が起動する。これにより、タッチが検出されている間には通信部１４が起動せず、タッチが検出されなくなった後に通信部１４が起動する。
【０１３０】
これらにより、アンテナの駆動及び無線通信デバイスの検出が行われる期間Ｐ２、並びに無線通信デバイスとの無線通信が行われる期間Ｐ３が、容量の計測及びタッチの検出が行われる期間Ｐ１と重なることを防止することができる。
【０１３１】
２．４  選択することができる周波数の増加
実施の形態２のタッチ入力装置２においては、２個の周波数ｆ１及びｆ２から計測周波数が選択される。また、第１の周波数ｆ１は、第１の強さで電磁波の送受信に干渉し、第２の周波数ｆ２は、第１の強さより強い第２の強さで電磁波の送受信に干渉する。また、周波数ｆ１が計測周波数として選択された場合は、容量の計測及びタッチの検出が行われている期間Ｐ１に、アンテナの駆動及び無線通信デバイスの検出が行われ、無線通信デバイスとの無線通信が行われる。また、周波数ｆ２が計測周波数として選択された場合は、容量の計測及びタッチの検出が行われている期間Ｐ１に、アンテナの駆動及び無線通信デバイスの検出が行われず、無線通信デバイスとの無線通信が行われない。
【０１３２】
しかし、実施の形態２のタッチ入力装置２において、３個以上の周波数から計測周波数が選択されてもよい。例えば、３個の周波数ｆ１，ｆ２及びｆ３から計測周波数が選択されてもよい。この場合は、第１の周波数ｆ１は、第１の強さで電磁波の送受信に干渉し、第２の周波数ｆ２は、第１の強さより強い第２の強さで電磁波の送受信に干渉し、第３の周波数ｆ３は、第２の強さより強い第３の強さで電磁波の送受信に干渉する。そして、周波数ｆ１が計測周波数として選択された場合は、容量の計測及びタッチの検出が行われる期間Ｐ１に、アンテナの駆動及び無線通信デバイスの検出が行われ、無線通信デバイスとの無線通信が行われる。また、周波数ｆ２が計測周波数として選択された場合は、容量の計測及びタッチの検出が行われる期間Ｐ１に、アンテナの駆動及び無線通信デバイスの検出が行われるが、無線通信デバイスとの無線通信が行われない。また、周波数ｆ３が計測周波数として選択された場合は、容量の計測及びタッチの検出が行われている期間Ｐ１に、アンテナの駆動及び無線通信デバイスの検出が行われず、無線通信デバイスとの無線通信が行われない。
【０１３３】
２．５  容量の計測及びタッチの検出が行われる期間の別例
実施の形態２のタッチ入力装置２においては、容量の計測及びタッチの検出が行われてから時間をおかずに次回の容量の計測及びタッチの検出が行われる。
【０１３４】
しかし、実施の形態２のタッチ入力装置２において、実施の形態１のタッチ入力装置１と同様に、容量の計測及びタッチの検出が行われてから設定された時間Ｔをおいて次回の容量の計測及びタッチの検出が行われてもよい。
【０１３５】
３  変形例
実施の形態１のタッチ入力装置１及び実施の形態２のタッチ入力装置２においては、容量の計測及びタッチの検出が行われている期間Ｐ１に、アンテナの駆動及び無線通信デバイスの検出が行われないようにし、無線通信デバイスとの無線通信が行われないようにする場合がある。しかし、容量の計測が行われている期間に、アンテナの駆動及び無線通信デバイスの検出が行われないようにし、無線通信デバイスとの無線通信が行われないようにしてもよい。これは、電磁波の送受信に干渉するのは容量の計測に用いられる信号であり、タッチの検出は必ずしも電磁波の送受信に干渉しないためである。
【０１３６】
なお、本発明は、その発明の範囲内において、各実施の形態を自由に組み合わせたり、各実施の形態を適宜、変形、省略することが可能である。
【０１３７】
この発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【０１３８】
１，２  タッチ入力装置、１１  タッチセンサパネル、１２  タッチ検出部、１３  アンテナ、１４  通信部、１５  制御部、１６  データ出力部、１７  計測周波数選択部、Ｐ１  容量の計測及びタッチの検出が行われる期間、Ｐ２  アンテナの駆動及び無線通信デバイスの検出が行われる期間、Ｐ３  無線通信デバイスとの無線通信が行われる期間、ＴＭ１  無線通信デバイスが無線通信を行うことができる範囲内に入ったタイミング、ＴＭ２  タッチが開始されたタイミング、ＴＭ３  タッチが終了したタイミング。
【図１】
2020170435.tif 000003
【図２】
2020170435.tif 000004
【図３】
2020170435.tif 000005
【図４】
2020170435.tif 000006
【図５】
2020170435.tif 000007
【図６】
2020170435.tif 000008
【図７】
2020170435.tif 000009
【図８】
2020170435.tif 000010
【図９】
2020170435.tif 000011
【図１０】
2020170435.tif 000012
【図１１】
2020170435.tif 000013
【図１２】
2020170435.tif 000014